(57)【特許請求の範囲】
【請求項１】
変圧器コイルの巻線作業時に外側より内側に巻線を行うコイル構造の場合の巻線方法において，ドーナツ状で直径の異なる二つの円盤を組み合わせた仮巻治具に一度導体を所定の寸法まで仮巻回を行い，導体の仮巻回の最後部を補助板のすぐ外側に持っていき巻形を回転させると自動的に仮巻治具に巻きつけられていた導体が外側より順番に巻線されることを特徴とする変圧器巻線方法．
【請求項２】
請求項1において使用する前記仮巻治具の構造がドーナツ状で直径の大きさの違う二つの円盤を組み合わせると共に、前記二つの円盤が複数に分割された構成を特つことを特徴とする変圧器コイルの巻線方法。
【発明の詳細な説明】
【０００１】
【発明の属する技術分野】
本発明は、変圧器コイルの巻線方法に係り、特に外側より内側へ導体が巻線されるコイル構造の場合の変圧器コイルの巻線方法に関する。
【０００２】
【従来の技術】
図５に示すような変圧器コイルの巻線を行う場合、まず、最初の巻線Ａは、巻形（図示なし）表面に巻かれている絶縁紙１に導体２を内側から外側に巻回を行い、既定の回数を巻終わった後、その上段に外側から内側に巻回されているＢの巻線を巻回するため、図６にその要部が示されているように、階段型治具３を乗せ、階段型治具３の外側から内側へ導体２の巻回を行い、規定回数の巻回を終了後、導体２を階段型治具３が取り外せるよう持ち上げ、階段型治具３を取り外し、持ち上げることにより乱れた導体２の整列を行う。
【０００３】
以上のように、巻線Ａと巻線Ｂを導体２の曲げ部Ｃで交互に繰り返す方法で巻線を行い変圧器コイルを完成させていた。
【０００４】
【発明が解決しようとする課題】
通常巻線は、物理的に内側より外側にしか巻くことが出来ない。したがってこのように巻線導体が、外側から内側へ巻かれるコイル構造の場合、治具を使用する必要がある。従来使用されている階段型治具３は、巻線の回数、導体２の厚さ、幅、高さにより、それぞれ固有の治具が必要となり、治具構造も複雑なため、治具費用も高価なものとなり不経済である。
また、治具を取り外すため導体２を一度持ち上げると、導体２が乱れ、これを整列させるのに工数がかかり技能も必要とする。
【０００５】
本発明は、これに鑑みなされたもので、その目的とするところは、特有の技能を有しない者でも、単純な治具を使用することにより、巻線作業を容易に行うことが可能であり、さらには、その巻線工数を減らすことができる変圧器コイルの巻線方法を提供することにある。
【０００６】
【課題を解決するための手段】
本発明は、外側より内側に導体の巻線を行うコイル構造の巻線方法において、ドーナツ状で直径の大きさの違う二つの円盤を組み合わせた仮巻治具に一度導体を所定の寸法までの仮巻回を行い、導体の仮巻最後部を一番内側に持っていき、本巻線を行うことにより、仮巻時外側に巻線されていた導体より、順番に巻線されるため、仮巻時一番外側にあった導体部が一番内側へ、また仮巻時一番内側にあった導体部が、一番外側に巻線されることにより初期の目的を達成するようにした物である。
【０００７】
すなわち、このような変圧器コイルの巻線方法であると、階段型治具を必要としないため、治具取り外しに導体を持ち上げる必要が無く導体が乱れないため、導体の整列を行う必要がなくなる。また仮巻終了後一度巻線機止め、仮巻最後部を一番内側に持っていき、すぐ本巻線を行えるため、巻線機を回しながら作業が行えるため、特に技能を有しない者でも巻線作業が行え、品質の安定にもつながる。
【０００８】
さらに、使用する仮巻治具もドーナツ状で直径の大きさの違う二つの円盤を組み合わせた単純な構造のため、階段型治具に比べ治具製作費が安価ものとなる。
【０００９】
【発明の実施の形態】
図１には、その一実施の形態例である変圧器コイルが立体図で示されている。導体２は各段ごとに所定の回数で巻形（図示なし）表面に巻かれている絶縁紙１に巻線されており、巻線の各段は、導体２の曲げ部Ｃによりつながっており、コイルが形成されている。導体２を曲げ、次の段に移る部分は、コイルの構造上コイルの絶縁紙側である内側とその反対側の外側で各段は巻線Ａと巻線Ｂが交互になるコイル構造になっている。この様なコイル構造において、導体２の曲げ部Ｃが、外側に配置された場合、次の段は、外側から内側に巻かれる構造となる。
【００１０】
この時の巻線方法の一実施例を図面に基づいて詳細に説明する。図１は導体２を内側から外側に巻線された後、上段へ巻線するための曲げを行い仮巻治具４を取り付けたコイルが立体図で示されている。仮巻治具４は、ドーナツ状で直径の大きさの違う二つの円盤を組み合わせた構造となっており、導体２は前記ドーナツ状の直径の小さい上段へ巻くため、導体２の曲げ部Ｃを通す様に切り欠きを設けている。また仮巻治具４は、その段の巻線終了後取り外せるように複数に分割した構造となっている。また電線被覆保護のため巻線時に補助板５を取付、巻線終了後は補助板５を取り外す。
【００１１】
図2は，仮巻治具４へ導体を規定寸法巻付け状態が断面図で示されている。仮巻治具４へ導体２を巻く時は、導体２のすべりを良くするため、石灰等の潤滑粉末（図示なし）を導体２に塗布しながら巻線を行う。仮巻治具４へ規定寸法巻付け終了後、巻形（図示なし）の回転を一度停止し、導体２が電線ドラム（図示なし）からこれ以上繰り出されないよう、電線ドラムにブレーキをかける。
【００１２】
仮巻治具４に巻線された導体２の最も外側２ａを補助板５のすぐ外側に配置し固定する。その後再び巻形を回転させると自動的に、図３に示す通り仮巻治具４に巻付けられていた導体２が、外側より順番に補助板５に巻線される。仮巻治具４に巻線されている導体１が、補助板５の外側へ巻回が終了すると、この段の巻線は外側より内側に巻回された構造となり、初期の目的が達成される。
【００１３】
その後、仮巻治具４及び補助板５を取り外し、次の段は内側より外側へ巻線を行い、その次の段の巻線を行う場合はまた仮巻治具４を使用して巻線を行う作業を交互に繰り返し、規定段数の巻線を行い、変圧器コイルを完成させる。本実施の形態例は、説明の都合上導体２を１本で巻付ける場合について説明したが、２本以上複数の導体を一緒に巻き付ける場合も同じ原理であり、巻線方法も同じである。
【００１４】
【発明の効果】
以上述べたように、本発明によれば、外側より内側に導体の巻線を行うコイル構造の巻線方法において、複雑な形状の階段型治具の使用と高度な技能を必要とすることなく作業が行えるため、特殊な技能を養成する必要がなく、品質も安定し、工数も減らすことが出来る。またドーナツ状の直径の大きさの違う二つの円盤を組み合わせた単純な構造の治具のため治具製作費が安価なものとなる。
【図面の簡単な説明】
【図１】本発明の仮巻治具を配置した変圧器コイルの巻線時の立体図である。
【図２】本発明の巻線方法の一実施の形態例を示し、仮巻治具へ導体を規定寸法巻付け、導体の一番外側の部分を引き出して仮巻治具４に接し、補助板５に固定した状態の断面図である。
【図３】本発明の巻線方法の一実施の形態例を示し、仮巻治具から補助板に導体を巻きつけた状態の縦断面図である。
【図４】本発明の仮巻治具の立体図である。
【図５】一般的な変圧器コイルの巻線時の立体図である。
【図６】従来の技術による巻線方法の階段型治具と導体の関係を示す縦断図面である。
【図１】
0003651262.tif 000002
【図２】
0003651262.tif 000003
【図３】
0003651262.tif 000004
【図４】
0003651262.tif 000005
【図５】
0003651262.tif 000006
【図６】
0003651262.tif 000007